(57)【要約】      （修正有）【課題】第三者から送信された不正な通信データを識別することができる物品確認システムを提供する。【解決手段】  カードリードライタ１２は、カード１８の特徴を示す特徴情報を取得すると共に貼付された記憶部に予め記憶されている当該カード１８が本物であると認証された認証回数を読み取り、認証回数に所定値を加算した識別値情報及び特徴情報をサーバ１４に送信する。サーバ１４は、記憶装置６２にカード１８を本物であると認証した認証回数を記憶しており、ネットワーク１６より識別値情報及び特徴情報を受信し、受信した識別値情報により示される識別値と記憶装置６２に記憶されている認証回数に所定値を加算した値とを比較し、値が一致した場合に特徴情報に基づき真贋の認証を行い、本物であると認証された場合に記憶装置６２に記憶されている認証回数の更新を行うと共に認証の結果をカード１８へ送信する。カード１８においても認証回数の更新を行う。【選択図】図１
2007036753.tif 000002
【特許請求の範囲】
【請求項１】
物品の特徴を示す特徴情報を取得する取得手段、前記物品に備えられた記憶部から当該物品が本物であると認証された認証回数を示す第１認証回数情報を読み取る読取手段、前記読取手段により読み取られた前記第１認証回数情報により示される認証回数に所定値を加算した識別値情報、及び前記取得手段により取得された前記特徴情報を通信回線へ送信する第１送信手段、前記通信回線より前記物品が本物であるか否かの認証を行った結果を示す認証結果情報を受信する第１受信手段、及び前記第１受信手段により受信された前記認証結果情報により示される認証の結果、本物であると認証された場合に前記記憶部に記憶されている前記第１認証回数情報により示される認証回数をカウントアップする更新を行う第１更新手段、を備えた物品確認装置と、
前記物品を本物であると認証した認証回数を示す第２認証回数情報を記憶する記憶手段、前記第１送信手段より送信されて前記通信回線を介して伝送された前記識別値情報及び前記特徴情報を受信する第２受信手段、前記第２受信手段により受信した前記識別値情報により示される識別値と前記記憶手段に記憶されている前記第２認証回数情報により示される認証回数に前記所定値を加算した値とを比較する比較手段、前記比較手段による比較結果、値が一致した場合に前記第２受信手段により受信した前記特徴情報に基づき真贋の認証を行う認証手段、前記認証手段による認証の結果、本物であると認証された場合に前記記憶手段に記憶されている前記第２認証回数情報により示される認証回数をカウントアップする更新を行う第２更新手段、及び前記認証手段による認証の結果を前記認証結果情報として前記通信回線へ送信する第２送信手段、を備えたサーバ装置と、
を有する物品確認システム。
【請求項２】
前記第１認証回数情報及び前記第２認証回数情報は、共に所定の暗号化方式で暗号化されているものとし、
前記読取手段は、前記記憶部に予め記憶されている前記第１認証回数情報を読み取った後に復号化し、
前記比較手段は、前記識別値と前記記憶手段に記憶されている前記第２認証回数情報を復号化し、当該復号化した第２認証回数情報により示される認証回数に前記所定値を加算した値とを比較する
請求項１記載の物品確認システム。
【請求項３】
前記第１送信手段は、前記識別値情報を前記所定の暗号化方式で暗号化して通信回線へ送信し、
前記比較手段は、前記識別値情報と前記認証回数に前記所定値を加算した値を前記所定の暗号化方式で暗号化した情報との各ビットが一致するか否かを比較し、
前記認証手段は、前記比較手段による比較結果、各ビットが全て一致した場合に真贋の認証を行う
請求項２記載の物品確認システム。
【請求項４】
前記物品は、クレジットカードである
請求項１乃至請求項３の何れか１項記載の物品確認システム。
【請求項５】
物品の特徴を示す特徴情報を取得する取得手段と、
前記物品に備えられた記憶部から当該物品が本物であると認証された認証回数を示す認証回数情報を読み取る読取手段と、
前記読取手段により読み取られた前記認証回数情報により示される認証回数に所定値を加算した識別値情報、及び前記取得手段により取得された前記特徴情報を通信回線へ送信する送信手段と、
前記通信回線より前記物品が本物であるか否かの認証を行った結果を示す認証結果情報を受信する受信手段と、
前記受信手段により受信された前記認証結果情報により示される認証の結果、本物であると認証された場合に前記記憶部に記憶されている前記認証回数情報により示される認証回数をカウントアップする更新を行う更新手段と、
を備えた物品確認装置。
【発明の詳細な説明】
【技術分野】
【０００１】
本発明は、物品の真贋を確認する物品確認システム及び物品確認装置に関する。
【背景技術】
【０００２】
従来より、例えば、クレジットカード等の認証を行うカード認証システムでは、カードリーダ等によりクレジットカードの表面に貼付された磁気ストライプに予め記憶されているカード番号等のカード情報を読み取り、読み取ったカード情報をネットワーク等の通信回線を介して接続されたセンタのサーバ・コンピュータに送信し、サーバ・コンピュータにおいて、受信したカード情報に基づいてカードの真贋を確認処理や決済処理等が行われており、このカードの真贋を確認する方法にとして様々な技術が提案されている。
【０００３】
例えば、特許文献１及び特許文献２には、物品の表面に光源から光を照射して所定の観測領域から当該物品自体が元来有している再現不能な微小な特徴情報（例えば、表面の微細な凹凸のパターン）をカメラ等で読み取って予め登録しておき、確認対象の物品の表面の微小な特徴をカメラで読み取り、予め登録しておいた特徴情報と比較することによって、確認対象の物品の真贋の確認する書類確認装置や物品確認装置が開示されている
【特許文献１】特開２００４−１５３４０５号公報
【特許文献２】特開２００５−０１０５８１号公報
【発明の開示】
【発明が解決しようとする課題】
【０００４】
この特許文献１及び特許文献２の技術を物品確認システムに適用して、例えば、サーバ・コンピュータにカード毎の表面の微細な凹凸のパターンを示す特徴情報を予め記憶しておき、カードリーダ等によりクレジットカードからカード情報を読み取る際に、光源からカードの表面に光を照射し、カメラにより所定の観測領域の撮像を行って表面の凹凸のパターンを示す画像情報を取得し、取得した画像情報をカード情報と共にネットワークを介してサーバ・コンピュータに送信し、サーバ・コンピュータにおいて受信した画像情報を予め記憶した特徴情報と比較して真贋の確認を行うことにより、本物のカードを高い精度で識別することができる。
【０００５】
しかしながら、カード認証システムは、ネットワーク等の通信回線を介して通信データの送受信を行うため、第三者によりネットワークがモニタリングされてカードリーダからサーバ・コンピュータへ送信された画像情報やカード情報等を含んだ通信データが傍受されてしまう場合があり、第三者から傍受された通信データをそのままサーバ・コンピュータに送信された場合に、サーバ・コンピュータで当該第三者から送信された不正な通信データを識別できない、という問題点があった。
【０００６】
これにより、サーバ・コンピュータでは、当該第三者から受信した通信データに含まれる画像情報を、予め記憶した画像情報を比較して本物であると認証してしまい、再度決済処理等を行ってしまう場合がある。
【０００７】
なお、上述した問題点は、ネットワークを介して送受信される通信データを暗号化している場合であっても、通信データを暗号化する暗号化キーが変更されない限り、サーバ・コンピュータでカードリーダから送信された通信データ及び第三者により傍受されて第三者から送信された通信データを復号化すると同一内容のデータとなってしまうため、同様の問題が発生する。
【０００８】
また、上述した問題点は、カード認証システムに限られるものでなく、物品確認装置において物品の特徴を示す特徴情報を取得し、当該特徴情報を通信回線を介してサーバ・コンピュータへ送信し、サーバ・コンピュータにおいて物品の真贋の確認が行われる物品確認システム全般で同様の問題が発生する。
【０００９】
本発明は上記問題点を解決するためになされたものであり、第三者から送信された不正な通信データを識別することができる物品確認システム及び物品確認装置を提供することを目的とする。
【課題を解決するための手段】
【００１０】
上記目的を達成するために、請求項１の発明の物品確認システムは、物品の特徴を示す特徴情報を取得する取得手段、前記物品に備えられた記憶部から当該物品が本物であると認証された認証回数を示す第１認証回数情報を読み取る読取手段、前記読取手段により読み取られた前記第１認証回数情報により示される認証回数に所定値を加算した識別値情報、及び前記取得手段により取得された前記特徴情報を通信回線へ送信する第１送信手段、前記通信回線より前記物品が本物であるか否かの認証を行った結果を示す認証結果情報を受信する第１受信手段、及び前記第１受信手段により受信された前記認証結果情報により示される認証の結果、本物であると認証された場合に前記記憶部に記憶されている前記第１認証回数情報により示される認証回数をカウントアップする更新を行う第１更新手段、を備えた物品確認装置と、前記物品を本物であると認証した認証回数を示す第２認証回数情報を記憶する記憶手段、前記第１送信手段より送信されて前記通信回線を介して伝送された前記識別値情報及び前記特徴情報を受信する第２受信手段、前記第２受信手段により受信した前記識別値情報により示される識別値と前記記憶手段に記憶されている前記第２認証回数情報により示される認証回数に前記所定値を加算した値とを比較する比較手段、前記比較手段による比較結果、値が一致した場合に前記第２受信手段により受信した前記特徴情報に基づき真贋の認証を行う認証手段、前記認証手段による認証の結果、本物であると認証された場合に前記記憶手段に記憶されている前記第２認証回数情報により示される認証回数をカウントアップする更新を行う第２更新手段、及び前記認証手段による認証の結果を前記認証結果情報として前記通信回線へ送信する第２送信手段、を備えたサーバ装置と、を有している。
【００１１】
請求項１記載の発明の物品確認システムによれば、物品確認装置では、取得手段により、物品の真贋を確認するために物品の特徴を示す特徴情報が取得され、読取手段により、物品に備えられた記憶部から当該物品が本物であると認証された認証回数を示す第１認証回数情報が読み取られ、第１送信手段により、読取手段により読み取られた第１認証回数情報により示される認証回数に所定値を加算した識別値情報、及び取得手段により取得された特徴情報が通信回線へ送信される。なお、上記記憶部には、磁気ストライプ等の磁気記録媒体や、ＩＣ(Integrated Circuit)チップ等の記憶素子が含まれる。また、上記通信回線には、インターネット、イントラネット、ＬＡＮ（Local Area Network）、ＶＡＮ（Value Added Network）、電話回線網、エコーネット（ECHONET）、ＨｏｍｅＰＮＡ等の各種ネットワークの単独や、複数の組み合わせが含まれる。
【００１２】
そして、本発明によれば、物品確認装置では、第１受信手段により、第１送信手段により送信した識別値情報及び特徴情報の応答として通信回線より物品が本物であるか否かの認証を行った結果を示す認証結果情報が受信され、第１更新手段により、第１受信手段により受信された前記認証結果情報により示される認証の結果、本物であると認証された場合に前記記憶部に記憶されている前記第１認証回数情報により示される認証回数をカウントアップする更新が行われる。
【００１３】
また、本発明の物品確認システムによれば、サーバ装置では、記憶手段に物品を本物であると認証した認証回数を示す第２認証回数情報が記憶されている。なお、上記記憶手段には、ＲＡＭ（Random Access Memory）、ＥＰＲＯＭ（Erasable Programmable Read Only Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia（登録商標））、ｘＤピクチャーカード（xD-Picture Card（登録商標））、コンパクト・フラッシュ（CompactFlash（登録商標））、ＣＤ−Ｒ（Compact Disc-Recordable）、ＣＤ−ＲＷ（Compact Disc-ReWritable）、光磁気ディスク等の可搬記憶媒体やハード・ディスク等の固定記憶媒体が含まれる。
【００１４】
そして、本発明によれば、サーバ装置では、第２受信手段により、第１送信手段より送信されて通信回線を介して伝送された識別値情報及び特徴情報が受信され、比較手段により、第２受信手段により受信した前記識別値情報により示される識別値と記憶手段に記憶されている第２認証回数情報により示される認証回数に前記所定値を加算した値とが比較され、認証手段により、比較手段による比較結果、値が一致した場合に第２受信手段により受信した前記特徴情報に基づき真贋の認証が行われ、第２更新手段により、認証手段による認証の結果、本物であると認証された場合に記憶手段に記憶されている前記第２認証回数情報により示される認証回数をカウントアップする更新が行われ、第２送信手段により、認証手段による認証の結果が認証結果情報として通信回線へ送信される。
【００１５】
このように、請求項１記載の発明の物品確認システムによれば、物品確認装置では、物品の特徴を示す特徴情報を取得すると共に物品に備えられた記憶部に予め記憶されている当該物品が本物であると認証された認証回数を示す第１認証回数情報を読み取り、第１認証回数情報により示される認証回数に所定値を加算した識別値情報及び特徴情報を通信回線へ送信し、通信回線より物品が本物であるか否かの認証を行った結果を示す認証結果情報を受信し、認証結果情報により示される認証の結果、本物であると認証された場合に記憶部に記憶されている第１認証回数情報により示される認証回数をカウントアップする更新を行う。
【００１６】
また、サーバ装置では、記憶手段に物品を本物であると認証した認証回数を示す第２認証回数情報を記憶しており、通信回線を介して伝送された識別値情報及び特徴情報を受信し、受信した前記識別値情報により示される識別値と記憶手段に記憶されている第２認証回数情報により示される認証回数に所定値を加算した値とを比較し、値が一致した場合に特徴情報に基づき真贋の認証を行い、認証の結果、本物であると認証された場合に記憶手段に記憶されている第２認証回数情報により示される認証回数をカウントアップする更新を行うと共に認証の結果を認証結果情報として通信回線へ送信している。
【００１７】
よって、本発明によれば、物品が本物と認証される毎に物品に備えられた記憶部に記憶されている認証回数及び記憶手段に記憶されている認証回数がカウントアップされるため、第三者により通信回線が傍受され、第三者が傍受したデータを送信したとしても、第三者から送信された不正な通信データに含まれる認証回数がサーバ装置の記憶手段に記憶されている認証回数と一致しなくなるので、第三者から送信された不正な通信データを識別することができる。
【００１８】
なお、請求項１記載の発明は、請求項２記載の発明のように、前記第１認証回数情報及び前記第２認証回数情報は、共に所定の暗号化方式で暗号化されているものとし、前記読取手段は、前記記憶部に予め記憶されている前記第１認証回数情報を読み取った後に復号化し、前記比較手段は、前記識別値と前記記憶手段に記憶されている前記第２認証回数情報を復号化し、当該復号化した第２認証回数情報により示される認証回数に前記所定値を加算した値とを比較するようにしてもよい。
【００１９】
また、請求項２記載の発明は、請求項３記載の発明のように、前記第１送信手段は、前記識別値情報を前記所定の暗号化方式で暗号化して通信回線へ送信し、前記比較手段は、前記識別値情報と前記認証回数に前記所定値を加算した値を前記所定の暗号化方式で暗号化した情報との各ビットが一致するか否かを比較し、前記認証手段は、前記比較手段による比較結果、各ビットが全て一致した場合に真贋の認証を行うようにしてもよい。
【００２０】
また、本発明は、請求項４記載の発明のように、前記物品は、クレジットカードであるものとしてもよい。
【００２１】
一方、上記目的を達成するために、請求項５の発明の物品確認装置は、物品の特徴を示す特徴情報を取得する取得手段と、前記物品に備えられた記憶部から当該物品が本物であると認証された認証回数を示す認証回数情報を読み取る読取手段と、前記読取手段により読み取られた前記認証回数情報により示される認証回数に所定値を加算した識別値情報、及び前記取得手段により取得された前記特徴情報を通信回線へ送信する送信手段と、前記通信回線より前記物品が本物であるか否かの認証を行った結果を示す認証結果情報を受信する受信手段と、前記受信手段により受信された前記認証結果情報により示される認証の結果、本物であると認証された場合に前記記憶部に記憶されている前記認証回数情報により示される認証回数をカウントアップする更新を行う更新手段と、を備えている。
【００２２】
よって、請求項５に記載の発明によれば、物品が本物と認証される毎に物品に備えられた記憶部に記憶されている認証回数に記憶されている認証回数がカウントアップされるため、第三者により通信回線が傍受され、第三者が傍受したデータを送信したとしても、第三者から送信された不正な通信データに含まれる認証回数がサーバ装置の記憶手段に記憶されている認証回数と一致しなくなるので、第三者から送信された不正な通信データを識別することができる。
【発明の効果】
【００２３】
以上説明したように、本発明によれば、物品が本物と認証される毎に物品に備えられた記憶部に記憶されている認証回数及び記憶手段に記憶されている認証回数がカウントアップされるため、第三者により通信回線が傍受され、第三者が傍受したデータを送信したとしても、第三者から送信された不正な通信データに含まれる認証回数がサーバ装置の記憶手段に記憶されている認証回数と一致しなくなるので、第三者から送信された不正な通信データを識別することができる、という優れた効果を奏する。
【発明を実施するための最良の形態】
【００２４】
以下、図面を参照して、本発明の実施の形態について詳細に説明する。
【００２５】
［ランダムパターン］
まず、本発明に係る実施の形態を説明するのに先立ち、物品自体が元来有している再現不能な微細な凹凸の特徴（以下、ランダムパターンと称す。）について説明する。
【００２６】
例えば、不織布では、繊維が複雑に絡み合ってできたものであり、この繊維によるパターンが同一になるものはない。すなわち、不織布から繊維によるランダムパターンを観測することができる。また、紙も植物繊維が複雑に絡み合ってできたものであり、不織布と同様に、紙からもランダムパターンを観測することができる。同一種、同一ロットの紙であっても紙毎にそのパターンは異なる。
【００２７】
また、カーボン充填した黒色のゴム表面、ＩＣパッケージ用のセラミック表面、金属微粒子分散のＵＶ硬化型塗料の塗膜（所謂ラメ塗装）表面からも、表面の微小なクラックや材料の微粒子等によってランダムパターンが観察できる。また、ステンレス鋼材表面からもヘアライン処理やサンドブラスト処理等、表面仕上げ時に作られたランダムパターンを観察できる。また、皮革も自然の状態でその表面にランダムな皺が形成されているため、この皺がランダムパターンとして観察される。
【００２８】
このように、各種の物品からランダムパターンを観察することができる。このランダムパターンは、意図的に作ったものではなく、物品そのものの成り立ち、製造工程、或いは製造後などで不作為にできたものであり、そのパターンが全く同じである物品が複数存在するとは考え難い。また、同一のものを故意に作り出すことは困難と思われる。すなわち、同一の工程を経て製造・物流された物品であっても、微視的には、各物品ごとにランダムパターンが異なる。特に、上述したようなランダムパターンは、顕微鏡レベルの微細なパターンであり、これを偽造することは容易ではない。また、ゴム表面や皮革表面、或いは不織布といった形状が変化し易い軟らかい素材のランダムパターンも、外力が加わらない状態では安定である。
【００２９】
なお、ここでいう物品表面のランダムパターンとは、外部から撮像可能に現れている物品の再現不能な微細な特徴をいう。例えば、外側が透明な保護膜で覆われている物品の場合には、透明な保護膜自体に現れている再現不能な微細な特徴と、透明な保護膜の下層に現れている再現不能な微細な特徴の双方の特徴を含む。具体的に例示すると、現在金融機関等で広く使用されているクレジットカード等のカードには、例えばラメ状の微細な地紋が現れた塗装の上に、ハードコート等の透明層が固着されているタイプのものが広く普及している。従って、このような物品の場合には、透明層自体に現れた凹凸等の微細なランダムパターンと、透明層の下の微細な地紋（ランダムパターン）の双方を含むことができる。また、この場合の透明層は、下層の微細な特徴が撮像可能に現れる程度に透明であればよく、その透明度は限定されない。
【００３０】
なお、ランダムパターンについての詳細な説明は、先に先行技術文献として挙げた特許文献１（特開２００４−１５３４０５号公報）及び特許文献２（特開２００５−０１０５８１号公報）に記載されているため、ランダムパターンについてのこれ以上のここでの説明は省略する。
【００３１】
本発明に係る物品確認システムは、上記のような物品が元来有するランダムなパターンを、各物品を確認（識別・照合）するための情報として利用するものである。このような微細なランダムパターンの読み取りには、触針法、電子顕微鏡観察法等幾つかの方法が考えられるが、物品保護の観点から未処理、非破壊であることが望ましい。光を利用する方法はこの点で優れている。以下、本発明に係る実施形態の一例として、光を利用してランダムパターンを読み取って、物品の真贋を確認する物品確認システムを説明する。
【００３２】
［全体構成］
図１は、本発明の実施の形態に係る物品確認システム１０の概略機能構成を示すブロック図である。なお、本実施の形態では、確認対象の物品として、プラスチックカードにテープ状（ストライプ）の磁気記録媒体を貼付したキャッシュカードやクレジットカード等の磁気カード（以下、カード）１８を例に挙げて説明する。
【００３３】
同図に示すように、本実施の形態に係る物品確認システム１０は、店舗に置かれたカードリードライタ１２と、センタに置かれたサーバ・コンピュータ（以下「サーバ」という。）１４と、がネットワーク１６に接続されて構成されている。カードリードライタ１２とサーバ１４は、ネットワーク１６を介して互いにデータの送受信が可能な構成となっている。
【００３４】
カード１８に貼付された磁気記録媒体には、カード番号等のカード情報及び当該カード１８が本物と認証された回数を示す認証回数情報が予め記憶されている。なお、認証回数情報は所定の暗号化方式（例えば、ＡＥＳ（Advanced Encryption Standard）方式）にて所定の暗号化キーを用いて暗号化されている。
【００３５】
カードリードライタ１２は、後述するリードライト部４０を用いて、カード１８に貼付された磁気記録媒体からのカード情報と認証回数情報の読込みの制御、磁気記録媒体に記憶された認証回数情報の更新の制御、及びカード１８の表面の所定領域の画像情報の取得の制御を各々行うカード読込書込制御部２０と、カード読込書込制御部２０の制御により読込まれた各情報に基づいてサーバ１４へカード１８の認証を要求するためのデータを生成する認証要求データ生成部２２と、カード読込書込制御部２０の制御により取得された所定領域の画像情報から当該カードの特徴を示す特徴情報（詳細後述）を生成する特徴情報生成部２４と、を備えている。
【００３６】
さらに、カードリードライタ１２は、ネットワーク１６に接続され、サーバ１４との間でデータの送受信を行う通信インタフェース部（以下、「通信Ｉ／Ｆ部」という。）２６と、認証要求データ生成部２２により生成された各種情報及び特徴情報生成部２４により生成された特徴情報をサーバ１４へ送信して真贋の問合せを制御する問合せ制御部２８と、問合せに対する応答により示される真贋の判定結果が表示される表示パネル等の表示部３０と、を備えている。
【００３７】
図２には、リードライト部４０の詳細な構成が示されている。
【００３８】
リードライト部４０には、光源部４１、カメラ４２、磁気ヘッド制御装置４４、及びカード搬送装置４６、磁気ヘッド４８、が備えられている。光源部４１、カメラ４２、磁気ヘッド制御装置４４、及びカード搬送装置４６は、カード読込書込制御部２０に接続されている。
【００３９】
カード搬送装置４６は、挿入口５０からカード１８が挿入されると、カード読込書込制御部２０の制御により、当該挿入されたカード１８を予め定められた読み取り位置まで搬送し、挿入されたカード１８への処理が終了したときには、該処理済みのカード１８を挿入時と逆方向へ搬送して挿入口５０から排出する。
【００４０】
磁気ヘッド制御装置４４には、磁気ヘッド４８が接続されている。磁気ヘッド４８は、磁気ヘッド制御装置４４からの制御によりカード１８と接触している際にカード１８に貼付された磁気記録媒体から情報を読み出し又は磁気記録媒体に記憶されている情報の書き換えを行うことができる。
【００４１】
カード読込書込制御部２０は、挿入口５０からカード１８が挿入されて読み取り位置まで搬送される搬送中に磁気ヘッド制御装置４４を制御して磁気ヘッド４８によりカード１８に貼付された磁気記録媒体からカード情報及び認証回数情報を読み出して認証要求データ生成部２２（図１参照）へ出力する。また、カード読込書込制御部２０は、一旦取り込んだカード１８を挿入口５０へ排出するためにカード１８が読み取り位置から挿入口５０方向へ搬送される搬送中に磁気ヘッド制御装置４４を制御して磁気ヘッド４８により磁気記録媒体の認証回数情報の書き換えを行っている。
【００４２】
光源部４１は、カード１８が読み取り位置に位置した際に光を照射してカード１８の表面の予め定められた範囲を照明するように配置されている。なお、光源には、例えば、ＬＥＤ、ハロゲンランプ、蛍光灯、キセノン放電管などを用いることができる。
【００４３】
カメラ４２は、光源部４１から照射された光によって照明されたカード１８の表面の予め定められた範囲の表面のランダムパターンを含む画像（以下、特徴画像と呼称）を撮像する。本実施の形態において、カメラ４２は移動せず、カメラ４２の撮像範囲は固定されている。
【００４４】
カード読込書込制御部２０は、磁気ヘッド制御装置４４を制御して磁気ヘッド４８によりカード１８の磁気記録媒体から読み取ったカード情報及び認証回数情報を認証要求データ生成部２２へ出力し、カメラ４２を制御して撮像によって得られた特徴画像の画像情報を特徴情報生成部２４（図１参照）へ出力する。
【００４５】
認証要求データ生成部２２には、磁気ヘッド４８により読み取られたカード情報及び認証回数情報が入力される。なお、上述したように、本実施の形態では、認証回数情報がカード１８の磁気記録媒体に所定の暗号化方式で暗号化されて記憶されている。このため、認証要求データ生成部２２は、認証回数情報を所定の暗号化キーを用いて復号化し、復号化した認証回数情報により示される認証回数に所定値（本実施の形態では‘１’）を加算して識別値とし、当該識別値を示す識別値情報を上述した所定の暗号化キーを用いて所定の暗号化方式で再度暗号化を行い、カード情報と共に問合せ制御部２８へ出力する。
【００４６】
一方、特徴情報生成部２４には、カメラ４２による撮像によって得られた画像情報が入力される。特徴情報生成部２４は、当該画像情報により示される特徴画像から物品表面のランダムパターンの特徴を示す特徴情報を生成して問合せ制御部２８へ出力する。
【００４７】
なお、特徴情報の生成には、従来公知の技術を採用することができるが、本実施の形態では、先に先行技術文献として挙げた特許文献１（特開２００４−１５３４０５号公報）及び特許文献２（特開２００５−０１０５８１号公報）に記載されている方法を適用する。
【００４８】
すなわち、まず、撮像された特徴画像を適切な大きさのメッシュ（メッシュ数ｄ＝縦Ｍ×横Ｎ）に区切り（量子化）、各メッシュをある濃度値（濃度レベルｑ）で代表させて（標本化）、モザイク状の画像の画像データに変換し、量子化標本化後の画像データを、ｊ番目のメッシュの濃度をｘｊとして、このパターンをｘ＝（ｘ１，ｘ２，・・・ｘｄ）ｔ（ｔは転置を表す）なるベクトル（特徴ベクトル）で記述する。この特徴ベクトルを特徴量とする。
【００４９】
この特徴ベクトルの各要素は対応する画像領域の濃度を与える。得られたパターンは特徴ベクトルによって張られた特徴空間上の１点として表される。前述したように、各物品は、微視的には異なるランダムパターンを有するため、特徴ベクトルもそれぞれ固有の特徴を表すものとなる。すなわち、各物品のランダムパターンの特徴をこの特徴ベクトルによって表すことができる。なお、特徴ベクトルの代わりに、全ベクトルから分散共分散行列又は相関行列を求めて、これを特徴量としてもよい。
【００５０】
問合せ制御部２８は、認証要求データ生成部２２より入力する識別値情報、カード情報、及び特徴情報生成部２４より入力する特徴情報をサーバ１４へ送信して真贋の問合せ行い、当該問合せに対する応答として受信される認証結果を表示部３０に表示させる制御を行う。そして、問合せ制御部２８は、カード１８が本物であると認証された場合、カード読込書込制御部２０に識別値情報を出力して認証回数情報の更新を依頼する。
【００５１】
カード読込書込制御部２０は、カード搬送装置４６を制御してカード１８を挿入口５０に排出させる搬送中に、磁気ヘッド制御装置４４を制御して磁気ヘッド４８より磁気記録媒体の認証回数情報の更新を行う。
【００５２】
一方、サーバ１４は、ネットワーク１６に接続され、カードリードライタ１２との間でデータの送受信を行う通信Ｉ／Ｆ部６０と、予めカード１８に個別に付されたカード番号毎に、本物と認証した認証回数を示す認証回数情報及び当該カード１８の予め定められた範囲の表面のランダムパターンより定まる特徴情報を関連付けたＩＤ別認証情報テーブルを記憶した記憶装置６２と、通信Ｉ／Ｆ部６０により受信したカード情報により示されるカード番号に対応する認証回数情報及び特徴情報を記憶装置６２に記憶されたＩＤ別認証情報テーブルから読み出すテーブル情報読出部６４と、を備えている。
【００５３】
さらに、サーバ１４は、テーブル情報読出部６４により読み出された認証回数情報及び特徴情報と通信Ｉ／Ｆ部６０により受信した認証回数情報及び特徴情報の比較を行う比較部６６と、比較部６６の比較結果に応じてテーブル情報読出部６４に記憶されている認証回数情報の更新を行う認証回数更新部６８と、を備えている。
【００５４】
なお、ＩＤ別認証情報テーブルに登録される特徴情報は、予めカード番号毎に登録される。この特徴情報は、カード１８の製造時等のカード１８が利用者に配布される前に、予めカード１８表面の予め定められた範囲の表面の特徴画像が撮像され、特徴画像から物品表面のランダムパターンの特徴を示す特徴情報として求められている。また、本実施の形態では、カード１８に貼付された磁気記録媒体に記憶される認証回数、及び記憶装置６２に記憶されているＩＤ別認証情報テーブルに初期登録される認証回数の初期値は共にゼロである。さらにまた、ＩＤ別認証情報テーブルに記憶されている認証回数情報は、カードリードライタ１２で用いられている暗号化方式と同じ所定の暗号化方式で暗号化されている。
【００５５】
通信Ｉ／Ｆ部６０は、ネットワーク１６を介して識別値情報、カード情報、及び特徴情報を受信すると、カード情報をテーブル情報読出部６４へ出力し、カード情報、識別値情報、及び特徴情報を比較部６６へ出力する。
【００５６】
テーブル情報読出部６４は、通信Ｉ／Ｆ部６０よりカード情報が入力すると、カード情報により示されるカード番号に対応する認証回数情報及び特徴情報を記憶装置６２に記憶されたＩＤ別認証情報テーブルから読み出す。そして、テーブル情報読出部６４は、暗号化されている認証回数情報を所定の暗号化キーを用いて復号化し、復号化した認証回数情報により示される認証回数に所定値（本実施の形態では‘１’）を加算して認証値とし、当該認証値を示す認証値情報を上述した所定の暗号化キーを用いて所定の暗号化方式で再度暗号化を行い、特徴情報と共に比較部６６へ出力する。
【００５７】
比較部６６は、通信Ｉ／Ｆ部６０より入力した識別値情報と、テーブル情報読出部６４より入力した認証値情報の各ビットを比較し、不一致のビットが存在する場合は不認証を示す認証結果情報を送信する。すなわち、識別値情報、認証値情報が共に同じ暗号化キーを用いて所定の暗号化方式で暗号化されているため、比較部６６は、識別値情報と認証値情報との各ビットが一致するか否かにより、識別値情報及び認証値情報によりそれぞれ暗号化されている値が同じであるか否かを判別する。
【００５８】
比較部６６は、識別値情報と認証値情報の各ビットを比較し、各ビットが一致した場合は、通信Ｉ／Ｆ部６０より入力した特徴情報（以下、「特徴情報Ｄ１」という。）とテーブル情報読出部６４より入力した特徴情報（以下、「特徴情報Ｄ２」という。）とを比較して類似度の算出を行い、特徴情報Ｄ１及び特徴情報Ｄ２の類似度が閾値以上であれば、一致していると判断する。なお、類似度の算出には、従来公知の技術を採用することができるが、本実施の形態では、先に先行技術文献として挙げた特許文献１（特開２００４−１５３４０５号公報）及び特許文献２（特開２００５−０１０５８１号公報）に記載されている方法を適用し、特徴情報Ｄ１が示す特徴量（特徴ベクトル）と、特徴情報Ｄ２が示す特徴量（特徴ベクトル）との距離を算出して類似度を求める。求めた距離が近い程、類似度が高くなる（両者が似ている）。当然ながら、ＫＬ（Ｋａｒｈｕｎｅｎ−Ｌｏｅｖｅ）展開等による特徴空間の次元削減を行って距離を求めてもよい。
【００５９】
ここで、類似度として計算する距離としては、統計学上の判別分析やクラスター分析などで用いられる距離、例えば、市街地距離、ユークリッド距離、標準化ユークリッド距離、ミンコフスキーの距離、マハラノビス距離などを用いることができる（村上征勝著：行動計量学シリーズ「真贋の科学」朝倉書店、１９９６）。前者４つの距離は、何れも確認対象の物品の特徴ベクトルと登録された本物の物品の特徴ベクトル間の距離として得られる。マハラノビスの距離は、確認対象の物品の特徴ベクトルと登録された本物の物品の特徴ベクトル（平均ベクトル）と、特徴行列（分散共分散行列、又は相関行列）の逆行列から計算される。
【００６０】
比較部６６は、特徴情報Ｄ１及び特徴情報Ｄ２の類似度が閾値以上であれば、一致していると判断して、認証回数更新部６８へカード情報及び認証値情報を送信して認証回数情報の更新を依頼する。また、比較部６６は、通信Ｉ／Ｆ部６０よりカードリードライタ１２へカード１８が本物であると認証したことを示す認証結果情報を送信させる。
【００６１】
一方、比較部６６は、特徴情報Ｄ１及び特徴情報Ｄ２の類似度が閾値未満であれば、不一致であると判断して、通信Ｉ／Ｆ部６０よりカードリードライタ１２へカード１８を本物と認証できない非認証（偽物））であることを示す認証結果情報を送信させる。
【００６２】
なお、類似度と比較する上記閾値については、量子化標本化誤差などを見込んで、所定の許容範囲を設けて設定することが好ましい。すなわち、類似度判定を厳しく行うか、甘くするかの要求に応じて、閾値の大きさを適宜選択すればよい。また、登録（確認）対象の物品の種類によって許容範囲を異ならせてもよい。
【００６３】
認証回数更新部６８は、カード情報及び認証値情報が入力すると、記憶装置６２に記憶されたＩＤ別認証情報テーブルのカード情報により示されるカード番号に対応する認証回数情報の更新を行う
［物品確認システムの動作］
次に、物品確認システム１０の動作を説明する。
【００６４】
カードリードライタ１２は、登録対象のカード１８が挿入口５０（図２参照）から挿入されると、以下のカード真贋判定処理を実行する。
【００６５】
図３には、カード真贋判定処理の流れを示すフローチャートが示されている。
【００６６】
同図のステップ１００では、カード読込書込制御部２０の制御に従って、カード搬送装置４６は、挿入されたカード１８を予め定められた読み取り位置まで搬送し、磁気ヘッド制御装置４４は、磁気ヘッド４８を制御してカード１８に貼付された磁気記録媒体からカード情報及び認証回数情報を読み出して取得する。
【００６７】
カード読込書込制御部２０は、読み取ったカード情報及び認証回数情報を認証要求データ生成部２２へ出力する。なお、この認証回数情報は、上述したように、所定の暗号化方式で暗号化されている。
【００６８】
次のステップ１０２では、認証要求データ生成部２２は、入力した認証回数情報を所定の暗号化キーを用いて復号化し、次のステップ１０４では、復号化した認証回数情報により示される認証回数に所定値（本実施の形態では‘１’）を加算して識別値とし、次のステップ１０６では、識別値を示す識別値情報を所定の暗号化キーを用いて所定の暗号化方式で再度暗号化してカード情報と共に問合せ制御部２８へ出力する。
【００６９】
次のステップ１０８では、カード読込書込制御部２０の制御に従って、カード搬送装置４６は、カード１８をカード搬送装置４６によりを予め定められた読み取り位置まで搬送し、光源部４１が点灯してカード１８の表面に光を照射し、カメラ４２はカード１８の表面の予め定められた範囲の表面の特徴画像を撮像し、撮像後、光源部４１は消灯する。
【００７０】
カード読込書込制御部２０は、撮像によって得られた画像情報を特徴情報生成部２４へ出力する。
【００７１】
次のステップ１１０では、特徴情報生成部２４は、撮像した特徴画像の画像情報から、上述したように、特徴ベクトルを求め、特徴ベクトルを特徴量として問合せ制御部２８へ出力する。
【００７２】
次のステップ１１２では、問合せ制御部２８は、通信Ｉ／Ｆ部２６を介して識別値情報、カード情報、及び特徴情報をサーバ１４へ送信して真贋の問合せを行う。
【００７３】
この識別値情報、カード情報、及び特徴情報が通信Ｉ／Ｆ部６０で受信されると、サーバ１４では、以下に示す認証処理を実行して認証結果を示す応答を送信する。
【００７４】
図４には、認証結果の流れを示すフローチャートが示されている。
【００７５】
同図のステップ１５０では、通信Ｉ／Ｆ部６０は、受信したカード情報をテーブル情報読出部６４へ出力し、また、カード情報、識別値情報、及び特徴情報を比較部６６へ出力する。テーブル情報読出部６４は、記憶装置６２に記憶されたＩＤ別認証情報テーブルからカード情報により示されるカード番号に対応する認証回数情報及び特徴情報を読み出す。なお、この認証回数情報は所定の暗号化方式で暗号化されている。
【００７６】
次のステップ１５２では、テーブル情報読出部６４は、ＩＤ別認証情報テーブルから読み出した認証回数情報を所定の暗号化キーを用いて復号化し、次のステップ１５４では、復号化した認証回数情報により示される認証回数に所定値（本実施の形態では‘１’）を加算して認証値とし、次のステップ１５６では、当該認証値を示す認証値情報を所定の暗号化キーを用いて所定の暗号化方式で再度暗号化を行い、ＩＤ別認証情報テーブルから読み出した特徴情報と共に比較部６６へ出力する。
【００７７】
次のステップ１５８では、比較部６６は、通信Ｉ／Ｆ部６０より入力した識別値情報とテーブル情報読出部６４より入力した認証値情報との各ビットが一致するか否かの比較を行い、肯定判定であった場合はステップ１６０へ移行し、否定判定であった場合はステップ１６６へ移行する。すなわち、真贋の確認対象となるカード１８の磁気記録媒体に記憶されている認証回数に所定値を加えた値と、ＩＤ別認証情報テーブルに記憶されている当該カードのカード番号に対応する認証回数に所定値を加えた値が一致するか否かを判定しており、上述したステップ１５８は一致した場合に肯定判定となり、不一致の場合に否定判定となる。
【００７８】
ステップ１６０では、比較部６６は、上述したように、通信Ｉ／Ｆ部６０より入力した特徴情報Ｄ１とテーブル情報読出部６４より入力した特徴情報Ｄ２との距離から類似度を算出し、当該類似度が閾値以上であるか否かを判定し、肯定判定であった場合はステップ１６４へ移行し、否定判定であった場合は、ステップ１６６へ移行する。
【００７９】
ステップ１６２では、認証回数更新部６８は、ＩＤ別認証情報テーブルに記憶されている本物と認証した認証回数を示す認証回数情報により示される認証回数をカウントアップする更新を行う。なお、本実施の形態では、認証値情報は、ＩＤ別認証情報テーブルに記憶されているカード番号に対応する認証回数情報を所定の暗号化キーを用いて復号化し、復号化した認証回数情報により示される認証回数に所定値として‘１'加算し、所定の暗号化キーを用いて所定の暗号化方式で再度暗号化したものであるので、認証値情報をＩＤ別認証情報テーブルに認証回数情報として記憶させる。
【００８０】
なお、認証回数に加算する所定値が‘１’以外の場合は、認証回数更新部６８が、ＩＤ別認証情報テーブルからカード番号に対応する認証回数情報を読み出して所定の暗号化キーを用いて復号化し、復号化した認証回数情報により示される認証回数に１加算し、所定の暗号化キーを用いて所定の暗号化方式で再度暗号化した情報をＩＤ別認証情報テーブルに新たな認証回数情報として記憶させる。
【００８１】
次のステップ１６４では、通信Ｉ／Ｆ部６０は、カードリードライタ１２へカード１８を本物と認証したことを示す認証結果情報を送信して、本認証処理は終了となる。
【００８２】
一方、ステップ１６６では、通信Ｉ／Ｆ部６０は、カードリードライタ１２へカード１８を本物と認証できない非認証としたことを示す認証結果情報を送信して、本認証処理は終了となる。
【００８３】
このように、本認証処理によれば、サーバ１４では、通信Ｉ／Ｆ部６０により識別値情報、カード情報、及び特徴情報Ｄ１を受信した場合に、記憶装置６２に記憶されたＩＤ別認証情報テーブルからカード情報により示されるカード番号に対応する認証回数情報及び識別値情報Ｄ２を読み出し、認証回数情報を復号化した認証回数に所定値を加算し、再度暗号化した認証値情報と識別値情報が一致し、かつ、特徴情報Ｄ１と特徴情報Ｄ２とを比較した類似度が閾値以上の場合に、本物と認証して、ＩＤ別認証情報テーブルに記憶されている認証回数をカウントアップする。これにより、通信Ｉ／Ｆ部６０で再度同じ識別値情報、カード情報、及び特徴情報Ｄ１を受信した場合に、認証値情報と識別値情報とが一致しなくなるため、第三者によりネットワーク１６を伝送されるデータが傍受され、当該第三者からネットワーク１６を介してサーバ１４に傍受されたデータが送信された場合に、第三者から送信されたデータを識別することができる。
【００８４】
一方、カード真贋判定処理（図３参照）のステップ１１４では、サーバ１４からの応答の受信待ちを行う。
【００８５】
次のステップ１１６では、応答として受信した認証結果情報により示される認証結果を表示部３０に表示させる。
【００８６】
次のステップ１１８では、認証結果情報により示される認証の結果、カード１８が本物と認証されたか否かを判定し、肯定判定であった場合はステップ１２２へ移行し、否定判定であったステップ１２０へ移行する。
【００８７】
ステップ１２０では、カード読込書込制御部２０の制御によりカード１８を読み取り位置から挿入口５０方向へ搬送して、カード１８を挿入口５０から排出させる。
【００８８】
一方、ステップ１２２では、問合せ制御部２８は、カード読込書込制御部２０に識別値情報を出力して認証回数情報の更新を依頼する。カード読込書込制御部２０は、カード１８を読み取り位置から挿入口５０方向へ搬送させる搬送中に磁気ヘッド４８により磁気記録媒体の認証回数情報を識別値情報で更新を行い、カード１８を挿入口５０から排出させる。なお、本実施の形態では、識別値情報は、カード１８の磁気記録媒体に記憶されている認証回数情報を所定の暗号化キーを用いて復号化し、復号化した認証回数情報により示される認証回数に所定値として‘１’加算（インクリメント）し、所定の暗号化キーを用いて所定の暗号化方式で再度暗号化したものであるので、カード１８の磁気記録媒体の認証回数情報を識別値情報で更新することにより、認証回数情報によりされる認証回数がカウントアップされる。
【００８９】
なお、認証回数に加算する所定値が‘１’以外の場合、認証要求データ生成部２２は、カード１８の取り込み時に、カード１８の磁気記録媒体から読込んだカード情報を問合せ制御部２８へ出力するようにする。問合せ制御部２８は、認証回数情報を所定の暗号化キーを用いて復号化し、復号化した認証回数情報により示される認証回数に１加算し、所定の暗号化キーを用いて所定の暗号化方式で再度暗号化した情報を識別値情報としてカード読込書込制御部２０に出力する。
【００９０】
このように、本カード真贋判定処理によれば、サーバ１４でカード１８が本物と認証されると、カード１８の磁気記録媒体に記憶されている認証回数もカウントアップされるため、カード１８の磁気記録媒体に記憶されている認証回数とサーバ１４の記憶装置６２に記憶されたＩＤ別認証情報テーブルの認証回数とが一致する。これにより、カードリードライタ１２から再度カード１８の真贋の判定を行ったとしても認証処理（図４参照）のステップ１５８で識別値と認証値とが一致して肯定判定となるため、カード１８の表面の予め定められた範囲の特徴画像に基づく真贋の判定を行うことができる。
【００９１】
以上説明したように、本実施の形態によれば、カードリードライタ１２では、取得手段（ここでは、カメラ４２）により、物品（ここでは、カード１８）の特徴を示す特徴情報が取得され、読取手段（ここでは、磁気ヘッド４８）により、物品に備えられた記憶部（ここでは、磁気記録媒体）から当該物品が本物であると認証された認証回数を示す第１認証回数情報が読み取られ、第１送信手段（ここでは、通信Ｉ／Ｆ部２６）により、読取手段により読み取られた第１認証回数情報により示される認証回数に所定値を加算した識別値情報、及び取得手段により取得された特徴情報が通信回線へ送信され、第１受信手段（ここでは、通信Ｉ／Ｆ部２６）により、通信回線より物品が本物であるか否かの認証を行った結果を示す認証結果情報が受信され、第１更新手段（ここでは、カード読込書込制御部２０）により、第１受信手段により受信された認証結果情報により示される認証の結果、本物であると認証された場合に前記記憶部に記憶されている前記第１認証回数情報により示される認証回数をカウントアップする更新が行われる。
【００９２】
また、サーバ１４では、記憶手段（ここでは、記憶装置６２）に物品を本物であると認証した認証回数を示す第２認証回数情報が記憶されており、第２受信手段（ここでは、通信Ｉ／Ｆ部６０）により、第１送信手段より送信されて前記通信回線を介して伝送された識別値情報及び特徴情報が受信され、比較手段（ここでは、比較部６６）により、第２受信手段により受信した識別値情報により示される識別値と記憶手段に記憶されている前記第２認証回数情報により示される認証回数に所定値を加算した値とが比較され、認証手段（ここでは、比較部６６）により、比較手段による比較結果、値が一致した場合に第２受信手段により受信した前記特徴情報に基づき真贋の認証が行われ、第２更新手段（ここでは、認証回数更新部６８）により、認証手段による認証の結果、本物であると認証された場合に記憶手段に記憶されている第２認証回数情報により示される認証回数をカウントアップする更新が行われ、第２送信手段（ここでは、通信Ｉ／Ｆ部６０）により、認証手段による認証の結果が認証結果情報として通信回線へ送信される。
【００９３】
よって、本実施の形態によれば、カード１８が本物と認証される毎にカード１８の磁気記録媒体に記憶されている認証回数及び記憶装置６２に記憶されている認証回数がカウントアップされるため、第三者によりネットワーク１６が傍受され、第三者が傍受したデータを送信したとしても、第三者から送信された不正な通信データに含まれる認証回数がサーバ１４の記憶装置６２に記憶されている認証回数と一致しなくなるので、第三者から送信された不正な通信データを識別することができる。
【００９４】
また、本実施の形態によれば、第１認証回数情報及び第２認証回数情報は、共に所定の暗号化方式で暗号化されているものとし、読取手段は、記憶部に予め記憶されている第１認証回数情報を読み取った後に復号化し、比較手段は、識別値と前記記憶手段に記憶されている第２認証回数情報を復号化し、当該復号化した第２認証回数情報により示される認証回数に所定値を加算した値とを比較しているので、第三者により記憶部に記憶されている第１認証回数情報及び記憶手段に記憶されている第２認証回数情報が読み取られたとしても認証回数を判別できないため、セキュリティが向上する。
【００９５】
また、本実施の形態によれば、第１送信手段は、識別値情報を所定の暗号化方式で暗号化して通信回線へ送信し、比較手段は、識別値情報と認証回数に所定値を加算した値を前記所定の暗号化方式で暗号化した情報との各ビットが一致するか否かを比較し、認証手段は、比較手段による比較結果、各ビットが全て一致した場合に真贋の認証を行っているので、第三者により通信回線が傍受されたとしても認証回数を判別できないため、セキュリティが向上する。
【００９６】
なお、上記実施の形態では、カード１８の磁気記録媒体に記憶されている認証回数情報及び、ＩＤ別認証情報テーブルに記憶されている認証回数情報を暗号化する方式としてＡＥＳ方式とした場合について説明したが、本発明はこれに限定されるものではなく、例えば、ＤＥＳ（Data Encryption Standard）方式、３ＤＥＳ方式、ＦＥＡＬ（Fast data Encipherment Algorithm）方式等いずれの暗号化方式を用いてもよい。
【００９７】
また、上記実施の形態では、暗号化する暗号化キー及び復号化する復号化キーが同じ共通鍵方式の暗号化方式を用いた場合について説明したが、本発明はこれに限定されるものではなく、例えば、ＲＳＡ（R. Rivest、A. Shamir、L. Adelman）等の公開鍵暗号化方式を用いてもよい。また、通信Ｉ／Ｆ部２６と通信Ｉ／Ｆ部６０で交換されるデータを全てをいずれかの暗号化方式で暗号化するものとしてもよい。これにより、ネットワーク１６を伝送される特徴情報が第三者に傍受されても、第三者に特徴情報の内容を解読されることを防止することができる。
【００９８】
また、上記実施の形態では、カード１８の磁気記録媒体に記憶されている認証回数情報及び、ＩＤ別認証情報テーブルに記憶されている認証回数情報を共に所定の暗号化方式で暗号化している場合について説明したが、共に暗号せずに記憶させるものとしてもよい。これにより、暗号化の処理を行う必要が無くなるため、処理が負荷を軽減することができる。この場合は、通信Ｉ／Ｆ部２６と通信Ｉ／Ｆ部６０で交換されるデータを暗号化することが好ましい。
【００９９】
また、上記実施の形態では、カード１８の磁気記録媒体にカード情報及び認証回数情報を記憶させている場合について説明したが、本発明はこれに限定されるものではなく、例えば、カード１８の表面にＩＣチップ等の記憶素子を貼付してカード情報及び認証回数情報等の情報を記憶させるものとしてもよい。
【０１００】
また、上記実施の形態では、ＩＤ別認証情報テーブルに予め登録された特徴量（特徴ベクトル）及び確認対象の特徴量（特徴ベクトル）を比較する場合に、距離に基づいてその類似度を判断して両者が一致しているか否かを判定するようにしたが、登録した特徴ベクトル及び確認対象の特徴ベクトルの成す角度から判断しても良い。
【０１０１】
さらにまた、ＩＤ別認証情報テーブルに特徴量に代えて特徴画像を登録しておき、登録した特徴画像と確認対象の特徴画像とを比較して類似度を求めることもできる（画像マッチング方式）。また、特徴画像を実空間上で比較して識別や照合をする以外にも、特徴画像を２次元フーリエ変換により周波数領域へ変換し、フーリエ空間上で比較してもよい。この場合、予め登録されたカード１８から得た特徴画像と確認対象のカード１８から得た特徴画像とをフーリエ空間上で画像合成し、逆フーリエ変換することで相関強度画像を得て、そのピーク値から二つの画像の類似度を評価することができる。例えば振幅のピークの大きさが予め決めておいた閾値以上であった場合に、登録した特徴量及び確認対象の特徴量が類似（一致）していると判定することができる。
【０１０２】
また、上記実施の形態では、真贋を確認する物品として、クレジットカードやキャッシュカード等のカードを例に挙げて説明したが、これに限定されず、意図的に作ったものではなく、物品そのものの成り立ち、製造工程、或いは製造後などで不作為にできた微細なランダムパターンを有し、外力が加わらない状態で形状が変化にくい物品であれば、どのような物品であっても、本発明に係る物品確認装置及び物品確認方法を用いて真贋を確認することができる。
【図面の簡単な説明】
【０１０３】
【図１】本発明の実施の形態に係る物品確認システムの概略構成を示す機能ブロック図である。
【図２】本発明の実施の形態に係るリードライト部の詳細な構成を示す構成図である。
【図３】カード真贋判定処理の流れを示すフローチャートである。
【図４】認証結果の流れを示すフローチャートである。
【符号の説明】
【０１０４】
１０  物品確認システム
１２  カードリードライタ
１４  サーバ
１６  ネットワーク
１８  カード
２６  通信Ｉ／Ｆ部
４２  カメラ
４８  磁気ヘッド
２８  問合せ制御部
６０  通信Ｉ／Ｆ部
６６  比較部
６８  認証回数更新部
【図１】
2007036753.tif 000003
【図２】
2007036753.tif 000004
【図３】
2007036753.tif 000005
【図４】
2007036753.tif 000006